(57)【特許請求の範囲】
【請求項１】
無線通信システムにおける送信パワーの制御方法において、
アクセス端末が、受信された信号の搬送波対干渉比を測定し、
アクセス端末が、前記搬送波対干渉比に基づいて１以上のデータレート制御（ＤＲＣ）値を生成し、
アクセス端末が、前記１以上のＤＲＣ値に基づいて送信機をオフに切換え、
アクセス端末が、生成されたＤＲＣ値にゼロのレートを示すものがない期間の時間の長さを決定し、
アクセス端末が、その時間の長さが予め定められた期間Ｔ１以上であるとき送信機をオンに切換えるステップを含んでおり、
送信機をオフに切換える前記ステップは、
生成されたＤＲＣ値がゼロのレートを超えるものがない期間の時間の長さを決定し、
その時間の長さが予め定められた期間Ｔ２以上であるとき送信機をオフに切換えるサブステップを含んでいる、送信パワーの制御方法。
【請求項２】
前記予め定められた期間Ｔ２は２４０ミリ秒である請求項２１記載の方法。
【請求項３】
前記予め定められた期間Ｔ１は１３．３３ミリ秒である請求項１記載の方法。
【請求項４】
前記予め定められた期間Ｔ１は２６．６７ミリ秒である請求項１記載の方法。
【請求項５】
無線アクセス端末装置において、
前記無線アクセス端末装置は、
送信パワーレベルで送信信号を増幅し送信する送信機と、
ダウンコンバートされた信号を復調し、ダウンコンバートされた信号に基づいて信号の搬送波対干渉比の測定のセットを生成する復調器と、
前記測定のセットからの信号の搬送波対干渉比を評価し、前記搬送波対干渉比に基づいて１以上のデータレート制御（ＤＲＣ）値を生成し、前記１以上のＤＲＣ値に基づいて送信パワーレベルをゼロに設定する制御プロセッサとを具備し、
前記制御プロセッサは、生成されたＤＲＣ値がゼロのレートを超えない期間の時間の長さを決定し、その時間の長さが予め定められた送信機のオフ期間以上であるときそれに基づいて送信パワーレベルをゼロに設定するように構成されており、
前記制御プロセッサはさらに、生成されたＤＲＣ値がゼロのレートを示さない期間の時間の長さを決定し、その時間の長さが予め定められた送信機のオン期間以上であるとき送信パワーレベルをゼロ以外の値に設定するように構成されている、無線アクセス端末装置。
【請求項６】
前記制御プロセッサは２４０ミリ秒の送信機オフ期間を使用するように構成されている請求項５記載の装置。
【請求項７】
前記制御プロセッサはさらに、１３．３３ミリ秒の送信機オン期間を使用するように構成されている請求項５記載の装置。
【請求項８】
前記制御プロセッサはさらに、２６．６７ミリ秒の送信機オン期間を使用するように構成されている請求項５記載の装置。
【発明の詳細な説明】
【０００１】
【発明の属する技術分野】
本発明は無線通信に関し、特に無線通信システムで逆方向リンク送信パワーを制御する優秀で改良された方法および装置に関する。
【０００２】
【従来の技術】
現代の通信システムは種々のアプリケーションをサポートするために必要とされている。１つのこのような通信システムは、以後ＩＳ−９５標準規格と呼ぶ“TIA/EIA-95A Mobile Station-Base Station Compatibility Standard for Dual-Mode Wideband Spread Spectrum Cellular System ”にしたがったコード分割多元アクセス（ＣＤＭＡ）システムである。ＩＳ−９５標準規格にしたがって動作するシステムはここではＩＳ−９５システムと呼ぶ。ＣＤＭＡシステムは地上リンクにわたるユーザ間の音声およびデータ通信を可能にする。多重アクセス通信システムにおけるＣＤＭＡ技術の使用は、米国特許第4,901,307 号明細書（発明の名称“SPREAD SPECTRUM MULTIPLE ACCESS COMMUNICATION SYSTEM USING SATELLITE OR TERRESTRIAL REPEATERS ”）と、米国特許第5,103,459 号明細書（発明の名称“SYSTEM AND METHOD FOR GENERATING WAVEFORMS IN A CDMA CELLULAR TELEPHONE SYSTEM”）とに記載されており、この両者は本出願人に譲渡され、ここで参考文献とされる。ＣＤＭＡ多重アクセス通信システムにおけるパワー制御技術は米国特許第5,056,109 号明細書（発明の名称“SYSTEM AND APPARATUS FOR CONTROLLING TRANSMISSION POWER IN A CDMA CELLULAR TELEPHONE SYSTEM ”）およびＩＳ−９５に記載されており、技術でよく知られている。
【０００３】
用語“基地局”はそれによって加入者局が通信するハードウェアを呼ぶのに使用される。用語“セル”はその中で加入者局が特定の基地局と通信してもよい地理的なカバー区域を呼ぶ。結果として、加入者局が基地局のカバー区域の外部から基地局へ向って移動するとき、加入者局は最終的に“基地局のセル”中へ移動する。各基地局は典型的にそのセルの中心部近くに位置される。簡単な構造では、基地局は単一の搬送波周波数を使用して信号をセル全体へ送信する。呼容量を増加するために、異なる搬送波周波数で同一のセル内にカバー区域を与えるように付加的な基地局が同一位置に設置されてもよい。呼容量をさらに増加するため、セルは丁度パイのスライスのように放射領域に分割されてもよい。このようにして、セルは“セクタ化”されてもよく、各基地局はセルの一部だけをカバーする指向性アンテナによって送信する。最も共通の構成では、セルはセクタと呼ばれる３つの領域に分割され、各セクタはセルの異なる１２０度のセクションをカバーする。セクタ化されたセルの各基地局は単一セクタ内または単一のセクタ化されていないセル内で単一の搬送波で送信する。
【０００４】
ＣＤＭＡシステムでは、加入者局は逆方向リンクでデータを基地局へ送信することによりデータネットワークと通信する。基地局はデータを受信し、データをデータネットワークへ伝送する。データネットワークからのデータは同一の基地局の順方向リンクで加入者局へ送信される。順方向リンクとは基地局から加入者局への送信を言い、逆方向リンクとは加入者局から基地局までの送信を言う。ＩＳ−９５システムでは、別々の周波数が順方向リンクと逆方向リンクに割当てられる。
【０００５】
ＩＳ−９５システムは、パイロット、ページング、および順方向トラフィックチャンネルを含む複数の異なるタイプの通信チャンネルを使用する。順方向トラフィックチャンネルリソースの有効性は、各基地局によりサポートされることができる異なる加入者局の呼の数を決定する。接続容量を最大にするために、接続管理技術がトラフィックチャンネルリソースの負担を迅速に軽くし、加入者局がトラフィックチャンネルが予期せずに失われる帯域内ジャマーとして作用することを防止するために開発されている。このような予期しない呼のドロップは加入者局が基地局のカバー区域外への移動またはトンネルの通過で生じ、これはトラフィックチャンネル信号の損失を生じる。
【０００６】
ＩＳ−９５のトラフィックチャンネル管理は２つの機構を含んでおり、ここではジャマー防止処理およびトラフィックチャンネル回復処理と呼ばれる。ジャマー防止処理は加入者局が逆方向リンク信号の送信を停止しなければならない状態を特定する。この処理は基地局によりパワー制御されずに、加入者局が逆方向リンク信号が送信する時間の長さを限定する。トラフィックチャンネル回復処理は加入者局がトラフィックチャンネルの損失を宣言し呼を終了する状態を特定する。この第２の処理手順は通信が突然、加入者局に対して失われたとき、基地局がトラフィックチャンネルを再生し再使用することを可能にする。
【０００７】
ＩＳ−９５では、ジャマー防止処理手順は、加入者局が良好な逆方向リンクパワー制御を確実にするのに十分強力な順方向リンク信号を受信していないときに送信を中止することを指示する。加入者局が特定された数の連続的な消去されたフレーム（通常１２フレーム）を受信するならば、加入者は送信機をオフに切換える。送信機は加入者局が２または３のような特定数の良好なフレームを受信した後に、再度オンに切換えられてもよい。
【０００８】
ＩＳ−９５では、トラフィックチャンネル回復処理手順は、その送信機が特定の管理時間においてジャマー防止処理手順にしたがってオフに切換えられている加入者局が、そのトラフィックチャンネルの損失を宣言しなければならないことを指令する。トラフィックチャンネル回復処理手順の管理時間は典型的に約５秒である。同様に、加入者局による呼がもはやアクチブではないことを基地局が検出したならば、基地局はそのトラフィックチャンネルが失われたことを宣言する。
【０００９】
前述の方法は比較的短い（５秒）管理時間後のトラフィックチャンネルリソースの回復を可能にする。この方法がＩＳ−９５システムで良好に作用する１つの理由は、基地局が情報の新しいフレームを２０ミリ秒毎に連続的に各アクチブ加入者局へ送信し、加入者局がこの連続的な順方向トラフィックストリームを監視することを可能にすることである。この方法は基地局が送信するためのデータを有するときのみ、基地局が加入者局へ送信する高いデータレート（ＨＤＲ）システムでは有効性が非常に低い。
【００１０】
高いデータレートのデジタルデータを無線通信システムで送信する例示的なＨＤＲシステムは米国特許第08/963,386号明細書（米国特許第6,574,211号明細書、発明の名称“METHOD AND APPARATUS FOR HIGHER RATE PACKET DATA TRANSMISSION ”（以後'386号明細書とする））に記載されており、本出願人に譲渡され、ここで参考文献とされている。この'386号明細書に記載されているように、基地局は情報を一度に１つの加入者局へ送信し、送信レートは加入者局により集められた搬送波対干渉（Ｃ／Ｉ）測定に基づいている。加入者局は基地局とただ１つの接続を有するが、その接続は多数のトラフィックチャンネルを含んでいてもよい。基地局はそれがその加入者局へ送信するためのデータを有するときのみ情報フレームを特定の加入者局へ送信する。したがって、加入者局は基地局からデータのフレームを受信せずに長期間、多数のトラフィックチャンネルで基地局との接続を維持することができる。
【００１１】
【発明が解決しようとする課題】
このような送信方法を使用するシステムでは、加入者局は消去を受信していることと、データフレームが送信されていることとを弁別できないので、ジャマー防止処理手順は消去レートに依存しない。さらに、システム等のトラフィックチャンネルリソースを再生するのに必要な管理時間は予測可能ではなく、５秒を遥かに超える可能性がある。ＨＤＲシステムにおけるジャマー防止および管理時間の減少方法はそれ故非常に望ましいことである。
【００１２】
【課題を解決するための手段】
本発明は、データがパケットデータネットワークの要求にしたがって送信される高データレートの無線システムのための優秀で改良された方法および装置に関する。無線システムの容量は信頼性のあるパワー制御をされずに、アクセス端末が逆方向リンクで送信することのできる時間量を制御することによって改良される。
【００１３】
本発明の１特徴では、逆方向リンクのジャミングを最少にするために、各アクセス端末はデータレート制御（ＤＲＣ）値を生成し、これらの生成されたＤＲＣ値を監視する。ＤＲＣ値はアクセス端末により行われる搬送波対干渉（Ｃ／Ｉ）測定にしたがって変化する。アクセス端末で測定されるＣ／Ｉ値が特定された基準を満たさないとき、アクセス端末はアクセス端末が順方向リンクデータを全くデコードできないことを示すゼロレートＤＲＣ値を生成する。ゼロのＤＲＣレベルはまたアクセス端末が基地局の範囲内ではなく、それ故効率よくパワー制御されないことも示すことができる。ＤＲＣレベルが延長された期間にわたってゼロに維持されるとき、アクセス端末は制御されない帯域内ジャマーになることを避けるためにその送信機をオフに切換える。例示的な実施形態では、ＤＲＣレベルが約２４０ミリ秒の“オフ切換え”期間で連続してゼロレートのままであるならば、アクセス端末はその送信機をオフに切換える。そのＤＲＣレートが例えば１３．３３または２６．６７ミリ秒の“オン切換え”期間にわたって連続的にゼロを超えてとどまった後、アクセス端末はその送信機を再度オンに切換える。
【００１４】
本発明の別の特徴では、無線ネットワークは１以上のトラフィックチャンネルを含む接続を経てアクセス端末と通信する。１以上のトラフィックチャンネルのそれぞれは無線ネットワークに属す異なる基地局から割当てられる。無線ネットワークは解除開始メッセージをアクセス端末に送信することによってアクセス端末との接続の解除を開始する。アクセス端末は解除メッセージを送信し、その後全てのトラフィックチャンネルの使用を終了することによって応答する。解除開始メッセージまたは解除メッセージが通信エラーに対して失われる場合、基地局およびアクセス端末は管理時間の長さを限定するためにトラフィックチャンネル回復処理手順を使用する。管理時間の最少化によって基地局によるトラフィックチャンネルリソースの迅速な再生と再使用が可能になる。
【００１５】
例示的な実施形態では、無線ネットワークは最小のデータフレーム送信レートをシステムの各アクセス端末に対して維持することにより管理時間を制御する。例えば、データフレームがアクセス端末へ送信されずに最大のゼロトラフィック期間が経過したならば、無線ネットワークはゼロデータフレームを加入者局へ送信する。アクセス端末が特定の数の最大ゼロのトラフィック期間に対して任意のそのトラフィックチャンネルの任意のデータフレームまたはゼロデータフレームを適切にデコードしないならば、アクセス端末は基地局との接続が失われたことを宣言し、送信を停止する。無線システムが解除開始メッセージの送信後に解除メッセージを受信しないならば、アクセス端末へのデータフレームとゼロデータフレームの送信を停止する。特定の数の最大のゼロのトラフィック期間の経過後、無線システムは解除されたアクセス端末に割当てられているトラフィックチャンネルリソースを再生する。
【００１６】
有効な実施形態では、無線ネットワークの各基地局は代わりに、構成パケットを基地局によりサービスされる全てのアクチブアクセス端末へ放送することによって管理時間を制御する。構成パケットは、各基地局のトラフィックチャンネルがアクチブなアクセス端末へ割当てられたか否かを示すトラフィックチャンネル割当情報を含んでいる。アクセス端末がその１つのトラフィックチャンネルが割当を解除されていることを示す構成パケットをデコードしたならば、そのアクセス端末はトラフィックチャンネルおよび随意選択的に無線ネットワークとのその接続を解除する。アクセス端末が管理時間中に少なくとも１つの構成メッセージを適切にデコードしないならば、アクセス端末はそのトラフィックチャンネルと無線ネットワークとのその接続を解除する。
【００１７】
【発明の実施の形態】
本発明の特徴、目的、利点は図面を伴った以下の詳細な説明からさらに明白になるであろう。図面では同一の参照符号は全体を通じて対応している。
図１は以後アクセス端末と呼び、高データレート無線ネットワーク120 と通信する無線高データレート（ＨＤＲ）の加入者局110 の例示的な実施形態のブロック図である。アクセス端末110 はパケットデータをインターネット124 または共同ネットワークのような閉ネットワークのような幾つかの他のパケットデータネットワーク126 と交換するために無線ネットワーク120 を経て通信する。パケットデータの例は、ウェブページをアクセスしｅメールを検索するようなアプリケーションで使用されるインターネットプロトコル（ＩＰ）データグラムを含んでいる。このようなパケットアプリケーションはアクセス端末110 で直接実行するか、無線モデムとしてアクセス端末110 を使用する別々のコンピュータ装置で実行してもよい。例示的な実施形態では、アクセス端末110 は無線通信チャンネル112 により無線ネットワーク120 と通信する。
【００１８】
無線ネットワーク120 は単一の基地局と基地局制御装置からなり、または複数の別々に位置された無線基地局と、ネットワークで共に接続されている１つの基地局制御装置を含んでもよい。各基地局はアクセス端末とのデータの交換に使用されることができる予め定められた数のトラフィックチャンネルを有する。１つのトラフィックチャンネルがアクセス端末に割当てられるとき、そのアクセス端末はアクチブアクセス端末と呼ばれる。少なくとも１つのトラフィックチャンネルは各アクチブアクセス端末に割当てられる。無線ネットワーク120 は無線または有線Ｔ１またはＴ３、光ファイバ接続またはイーサネット（登録商標）のような任意の適切なタイプのネットワーク接続を使用してパケットデータネットワーク126と接続されることができる。無線ネットワーク120 は１よりも多くのタイプを有する多数のパケットデータネットワークに接続されてもよい。例えば別のネットワーク126 はデータサービスインターワーキング機能（ＩＷＦ）により無線ネットワーク120 と接続された公共交換電話網（ＰＳＴＮ）であってもよい。
【００１９】
例示的な実施形態では、アクセス端末110 はチャンネルの搬送波対干渉（Ｃ／Ｉ）比を評価するため、無線ネットワーク120 からの送信を連続的に監視する。アクセス端末110 はデータレート制御（ＤＲＣ）信号を無線ネットワーク120 へ周期的に送信し、そのデータレートはアクセス端末110 が無線通信チャンネル112 の先のＣ／Ｉ測定に基づいてデータを受信できる最大のデータレートを示している。アクセス端末110 のＣ／Ｉおよびその関連するＤＲＣ信号はアクセス端末110 の位置の変化のような状態により変化する。アクセス端末110 が高いレートでデータを受信することができるとき、高い値を有するＤＲＣ信号を送信する。アクセス端末110 が低いレートでデータを受信できるとき、低い値を有するＤＲＣ信号を送信する。
【００２０】
例示的なシステムでは、無線ネットワーク120 の基地局はデータを目的地のアクセス端末へ送信するためにその順方向トラフィックチャンネルの全容量を使用する。基地局はデータを一度にただ１つのアクセス端末110 へ送信し、通常はデータを目的地アクセス端末から受信されたＤＲＣ信号により示されるように許容可能な最高のレートでデータを送信する。送信はコード化され、それによってこれらは目的地アクセス端末により正確にデコードされるだけである。
【００２１】
例示的なシステムでは、無線ネットワーク120 は各アクチブアクセス端末110 の順方向リンクデータの待ち行列を維持する。無線ネットワーク120 がアクセス端末にアドレスされたパケットデータネットワーク126からデータを受信するときにはいつでも、これはデータを対応する順方向リンクデータ待ち行列へ位置させる。
【００２２】
順方向リンク送信は継続期間が１．６６７ミリ秒または毎秒６００スロットに分割される。基地局はデータをスロット期間の１つだけで目的地アクセス端末へ送信し、目的地アクセス端末から受信されたＤＲＣ情報に基づいたレートでデータを送信する。基地局が新しい目的地アクセス端末を選択するときには常に、予め定められた最小のサイズを有する全体的な“エンコーダパケット”を送信する。例示的な実施形態では、最小のエンコーダパケットサイズは１０２４ビットである。最小のエンコーダパケットが単一スロット内でリクエストされたＤＲＣレートで送信されることができないならば、基地局はエンコーダパケットを多数の連続的なスロットで目的地アクセス端末へ送信する。例えば、３８．４ｋｂｐｓのレートで１０２４ビットを送信するために、基地局は１６の連続的なスロットにわたってエンコーダパケットを送信する。
【００２３】
例示的なシステムでは、順方向リンクデータの待ち行列が空ではないならば、基地局はエンコーダパケットをアクセス端末へ送信するだけである。パケットデータネットワーク126がデータをアクセス端末へ送信せず、そのアクセス端末の順方向リンクデータの待ち行列が空であるならば、基地局はエンコーダパケットをアクセス端末に送信しない。
【００２４】
ウェブブラウジングのような多くの人気のあるパケットデータアプリケーションでは、ネットワークとネットワークノード間で交換される情報はバーストである。換言すると、帯域幅についての需要は短いピークを経験し、その短いピーク間の帯域幅の需要は非常に低い。ウェブページブラウジングはバーストのパケットデータアプリケーションの好例である。ユーザはアクセス端末に接続されているラップトップコンピュータを使用してインターネットをアクセスしてもよい。ユーザがウェブページをダウンロードしながら、ウェブブラウザアプリケーションはネットワークから可能な全ての帯域幅を要求する。ダウンロードの完了後、ユーザがウェブページを読むとき帯域幅の要求はゼロに落ちる。ユーザがこれ以上情報を必要としないならば、ユーザはウェブブラウジングアプリケーションを閉じるか単にコンピュータをアイドル状態にする。
【００２５】
例示的なシステムでは、無線ネットワーク120 は各アクチブなアクセス端末がアイドルである（データの送信または受信しない）時間の長さを監視する。アイドルタイマの終了後、無線ネットワーク120 は順方向リンクで解除開始メッセージをアクセス端末に送信し、それによってアイドルではない他のアクセス端末により使用される関連するトラフィックチャンネルリソースを再生する。アクセス端末は解除メッセージを無線ネットワーク120 へ送信し、無線ネットワーク120 および接続に関連するトラフィックチャンネルとの接続を解除することにより応答する。解除開始メッセージおよび解除メッセージは任意の他のメッセージのように通信エラーを受ける。アクセス端末が適切に解除開始メッセージをデコードしないならば、アクセス端末はこれが解除されていることを知らない。同様に、無線ネットワーク120 がデコードされた解除メッセージを適切に受信しないならば、関連するトラフィックチャンネルリソースは他のアクセス端末への割当に利用可能であることを知らない。このような通信エラーに直面してトラフィックチャンネルリソースの適時の再生および再使用を可能にするために、例示的なＨＤＲシステムは接続管理処理を使用する。
【００２６】
関連する順方向リンクデータの待ち行列が空ではないならば、例示的なＨＤＲシステムは、これが順方向リンク通信データだけをアクセス端末に送信する点でＩＳ−９５と異なっている。解除開始または解除メッセージを失う可能性と組合わせた長期間のゼロトラフィックチャンネルアクティビティの潜在性はＨＤＲシステムにおける接続監視処理手順を複雑にする。
【００２７】
例示的な実施形態では、アクセス端末はタイムスロット毎にＤＲＣ信号レベルを計算する。ジャマー防止処理手順は、そのＤＲＣレベルが特定の期間、例えば２４０ミリ秒または１４４タイムスロットでゼロレートに落ちた後、アクセス端末がその送信機をオフに切換えなければならないことを特定する。アクセス端末はそのＤＲＣレートが特定の期間、例えば８の連続的なタイムスロットまたは１３．３３ミリ秒の期間ゼロを超えた状態にある後、再度送信機をオンに切換える。別の実施形態ではこの後者の期間は１６の連続的なタイムスロットまたは２６．６７ミリ秒である。
【００２８】
１実施形態では、接続状態のミスマッチは情報を各アクセス端末へ送信せずに通過する最大ゼロのトラフィック期間を特定することにより防止される。最大ゼロのトラフィック期間がデータパケットをアクセス端末へ送信せずに経過するような、アクセス端末に対する順方向リンクデータの待ち行列が空であるならば、無線ネットワーク120 は“ゼロデータパケット”をアクセス端末へ送信する。管理期間はその接続を直ちに解除せずに、アクセス端末が（通信エラーのために）幾つかのゼロデータパケットを失うことを可能にするために少なくとも最大ゼロのトラフィック期間の２倍の長さである。
【００２９】
ゼロトラフィックデータを送信する１つの問題は、ＨＤＲ基地局の平均的な順方向リンク処理量を実質上劣化することである。これはゼロトラフィックデータを低いデータレートでアクセス端末へ送信するときにそのようになる。例えば３８．４ｋｂｐｓで１０２４ビットエンコーダパケットにおいてゼロトラフィックデータを送信することは１６の連続的な順方向リンク送信スロットを消費する。多数のこのようなアクセス端末が存在するならば、この種類の接続管理処理手順は順方向リンク帯域幅を非常に大きく消費することになる。
【００３０】
また、最大ゼロのトラフィック期間の長さがゼロトラフィックデータで非常に多くの帯域幅を浪費することを防止するために長くされても、接続管理期間は長くなる。例えば、最大ゼロのトラフィック期間が１５秒に設定されるならば、接続管理時間は６０秒である。これは、無線ネットワーク120 がアクセス端末から解除メッセージを受信しないならば、無線ネットワーク120 は関連するトラフィックチャンネルリソースを再生し、再割当する前に６０秒待機しなければならないことを意味する。このような長い期間トラフィックチャンネルリソースを拘束することは非常に望ましくないことである。
【００３１】
有効な実施形態では、各基地局は放送制御チャンネルで周期的に構成パケットを全てのそのアクチブアクセス端末へ送信する。構成パケットは各トラフィックチャンネルがアクチブアクセス端末に割当てられているか否かを示すトラフィックチャンネル割当情報を含んでいる。基地局によりサービスされるアクチブアクセス端末はそれに割当られるトラフィックチャンネルの状態を決定するためにそれぞれの適切にデコードされた構成パケットをチェックする。トラフィックチャンネルの状態が割当てられた状態から割当てられない状態に変化したならば、そのトラフィックチャンネルは割当を解除され、別のアクセス端末に再割当されてもよい。アクセス端末がその対応するトラフィックチャンネルの１つが割り当てを解除されていることを一度決定すると、アクセス端末は直ちに解除しそのトラフィックチャンネルの使用を停止する。例示的な実施形態では、アクセス端末は他の基地局により依然としてアクセス端末に割当てられているトラフィックチャンネルを使用し続ける。別の実施形態では、任意のアクセス端末のトラフィックチャンネルの割当て解除はアクセス端末にその全ての基地局と関連するトラフィックチャンネルとの接続を解除させる。さらに、アクセス端末が接続管理時間内に構成パケットを適切にデコードしないならば、任意の関連するトラフィックチャンネルを含んでいる無線ネットワークとの接続を直ちに解除し、送信を中止する。
【００３２】
例示的な実施形態では、アクセス端末はアクセス端末をサービスする各基地局に対して別々の監視タイマを維持する。アクセス端末が特定の基地局からの構成パケットを適切にデコードすることができないならば、アクセス端末はその基地局に関連するトラフィックチャンネルを解除する。アクセス端末が別の基地局からの構成パケットを適切にデコードし続け、これらの構成パケットが他の基地局がアクセス端末のトラフィックチャンネルの割当てを解除していないことを示しているならば、アクセス端末は他の基地局のトラフィックチャンネルを使用し続ける。
【００３３】
有効な実施形態では、構成パケットは管理時間がＩＳ−９５で使用される管理時間に匹敵する程十分に頻繁に放送される。例えば、構成パケットが４００ミリ秒毎に放送される場合、アクセス端末は４．８秒または１２の連続的な損失構成パケットの管理時間に構成パケットをデコードしなかった後、その接続を解除する。当業者はここで説明した方法から逸脱せずにトラフィックチャンネル割当情報を含んでいる構成パケットの送信に関連するタイミングを変更してもよいことを認識する。同様に、ここで説明する方法から逸脱せずに管理時間を変更してもよい。
【００３４】
例示的な実施形態では、各構成パケットのトラフィックチャンネル割当情報は基地局によりサポートされる最大数の順方向トラフィックチャンネルと同数のビットを有するビットマスクである。各アクチブアクセス端末は、ビットマスク中のどのビットがアクセス端末のトラフィックチャンネルに対応し、ビットマスクの他のビットの状態を無視するかを知っている。例示的な実施形態では、“１”はトラフィックチャンネルが割当てられることを示し、“０”はトラフィックチャンネルが割当てを解除されているか割当てられていないことを示すために使用されている。例示的な実施形態では、各基地局は最大２８の順方向リンクトラフィックチャンネルをサポートし、ビットマスクの長さは２８ビットである。別の実施形態では、各基地局は最大２９の順方向リンクトラフィックチャンネルをサポートでき、ビットマスクの長さは２９ビットである。当業者は表されているこのトラフィックチャンネルおよびビット数がここで説明されている方法から逸脱せずに変化されてもよいことを認識するであろう。
【００３５】
適切に構成パケットをデコードするとき、各アクチブアクセス端末はそれに割当てられた順方向トラフィックチャンネルに対応したビットを検査する。順方向トラフィックチャンネル割当てビットが、アクセス端末のトラフィックチャンネルが割当てを解除されていることを示したならば、アクセス端末はトラフィックチャンネルおよび随意的に無線ネットワーク120 との接続全体を解除する。
【００３６】
無線ネットワーク120 とアクセス端末との接続を終了したとき、無線ネットワーク120 内の１つの基地局は最初に解除開始メッセージをアクセス端末に送信する。解除開始メッセージを受信したとき、アクセス端末は基地局を通して無線ネットワーク120 へ解除メッセージを送信することにより応答する。解除開始メッセージまたは解除メッセージが通信エラーにより失われないならば、無線ネットワーク120 は解除メッセージを受信しない。接続監視処理手順は解除開始メッセージを送信し、対応する解除メッセージをデコードできなかった後、基地局により放送される周期的な構成パケットを有効に変更する。解除されようとしているアクセス端末をサービスする１または全ての基地局の構成パケットはアクセス端末に関連するトラフィックチャンネルの割当て解除を示すために変更される。管理時間の完了後、基地局はトラフィックチャンネルリソースを再生し、これらはその後、他のアクセス端末への割当てに対して利用可能にされる。トラフィックチャンネルが構成パケットで割当てを解除されたとしてマークされた後であるが監視期間の完了前に、解除されようとしているアクセス端末からトラフィックチャンネルを通して受信されたデータは選択的に基地局により伝送される。
【００３７】
図２の（Ａ）は図１のアクセス端末110 で管理時間を処理する例示的な状態図である。正規のトラフィック状態202 の期間中、アクセス端末はそのサービスする基地局からの順方向リンク送信を監視しながら逆方向リンクで正常に送信する。アクセス端末は、少なくとも１つのサービスする基地局についてのトラフィックチャンネル割当情報を有する構成パケットを含んでいるスロットを識別するために、スロットのタイミングを追跡する。
【００３８】
アクセス端末が解除開始メッセージを受信するか、１つのそのトラフィックチャンネルの割当て解除を示す構成パケットをデコードするならば、正規のトラフィック状態202 から解除状態206 へアクセス端末は220 で転移する。例示的な実施形態では、解除開始メッセージは順方向トラフィックチャンネルまたは順方向リンク制御チャンネルで受信され、構成パケットは順方向リンク制御チャンネルで放送として受信される。前述の１つの事象だけがアクセス端末が解除状態206 へ220 で転移するために必要とされる。例えば、アクセス端末は解除開始メッセージを受信していなくても、そのトラフィックチャンネルの割当て解除を示す構成パケットをデコードした後にトラフィックチャンネルを解除する。一度解除状態206 になると、アクセス端末が逆方向リンクでの送信を中止し、順方向トラフィックチャンネルのデコードを停止する。
【００３９】
前述したように、別の実施形態は、その全てではないがその１つのトラフィックチャンネルの割当ての解除を示す構成パケットを受信したとき、正規のトラフィック状態202 にアクセス端末が残ることを可能にする。この実施形態では、アクセス端末の最後およびトラフィックチャンネルだけが割当てを解除され、接続用に割当てられたトラフィックチャンネルが残留しない場合にのみ、構成パケットはアクセス端末を解除状態206 に220 で転移させる。
【００４０】
別の実施形態では、解除開始メッセージは送信されず、無線ネットワークはその基地局により放送される構成メッセージ中のトラフィックチャンネル割当情報を使用して常にアクセス端末を解除する。この方法は順方向リンクの帯域幅のさらに大きい効率を可能にし、スロットを節約し、そうでない場合にはスロットは順方向リンクで解除開始メッセージを送信するために消費される。この方法の１つの欠点はドロップされたアクセス端末に関連するトラフィックチャンネルリソースが管理時間の終了まで、再生されず、別のアクセス端末に再割当てされないことである。
【００４１】
前述したように、アクセス端末は正規のトラフィック状態202 にありながら周期的に順方向リンクで構成メッセージをデコードしようと試みる。アクセス端末がそのトラフィックチャンネルが依然として割当てられていることを示す構成パケットをデコードするならば、アクセス端末は状態の転移222 により示されるように正規のトラフィック状態202 のままである。
【００４２】
構成パケットが基地局により送信される期間中にアクセス端末が構成パケットを適切にデコードできないならば、アクセス端末は失われた構成パケット状態204 へステップ210 で転移する。アクセス端末が次の構成パケットを適切にデコードしたならば、それはステップ218 で正規のトラフィック状態202 へ戻る。
【００４３】
アクセス端末が失われた構成パケット状態204 に最初に入る度に、アクセス端末は構成パケットを適切にデコードせずに通過した時間の長さを追跡し始める。その時間が管理時間を超過したならば、アクセス端末は解除状態206 へ転移216 する。管理時間が完了する前に、その後の構成パケットのデコードに失敗すると、状態転移214 により示されているように、アクセス端末は失われた構成パケット状態204 のままである。
【００４４】
図２の（Ｂ）は図１のアクセス端末110 のジャマー防止処理手順の例示的な状態図である。例示的な実施形態では、アクセス端末は主として送信状態230 であり、ここではアクセス端末は逆方向リンクで連続的に信号を１以上のサービスする基地局へ送信する。送信状態230 では、アクセス端末はＤＲＣ信号が特定の期間だけゼロレートレベルの状態であるまで逆方向リンクでＤＲＣ信号を連続的に発生する。アクセス端末が特定の数の連続的な時間スロットでゼロレートのＤＲＣ信号を発生するならば、アクセス端末はその送信機をオフに切換え、240 で送信機オフ状態232 へ転移する。送信機オフ状態232 では、アクセス端末は順方向リンクのＣ／Ｉを監視し続け、各タイムスロットでＤＲＣ測定を発生し続ける。ＤＲＣ測定が予め定められた数、例えば８のタイムスロットでゼロレートを超えて上昇するならば、アクセス端末はその送信機をオンに切換え、転移242 で送信状態230 へ戻る。送信状態230 および送信機オフ状態232 中、順方向リンクで適切にデコードされる任意のデータは通常のようにアクセス端末により伝送される。しかしながら、アクセス端末が送信機オフ状態232 であるとき、アクセス端末は逆方向リンクでデータを送信しない。
【００４５】
例示的な実施形態では、アクセス端末が特定の時間量、例えば４．８秒の管理時間中に送信機オフ状態232 であるならば、アクセス端末はステップ244 で前述の解除状態206 へ転移する。当業者はここで説明した方法から逸脱せずに、転移244 を実行するタイムアウトが管理時間とは異なることを認識するであろう。
【００４６】
図３Ａはアクセス端末における管理時間処理の例示的なフローチャートである。それぞれの新しい順方向リンクタイムスロット302 では、アクセス端末はステップ304で、アクセス端末に割当てられた順方向リンク放送制御チャンネルと順方向トラフィックチャンネルとの両者で受信されたまたは受信されなかったものを評価する。順方向リンクからデコードされ、またはデコードされないものに基づいて、アクセス端末はステップ314 で解除を処理し、または次の順方向リンクタイムスロットを処理し続ける。
【００４７】
解除開始メッセージがタイムスロット304 中にデコードされたならば、アクセス端末は直ちにステップ314 で解除を処理する。解除開始メッセージが受信されないならば、アクセス端末はステップ306 で、処理されるタイムスロットの期間が完全な構成パケットの最後の部分が予測された期間であるか否かを決定する。例示的な実施形態では、構成パケットはスロットで測定された一定のインターバルで送信される。例えば１．６６７ミリ秒のタイムスロットを使用するシステムでは、構成パケットは４００ミリ秒毎、または２４０タイムスロット毎に一度送信される。ステップ306 では、アクセス端末は、完全な構成パケットが受信されるべきであると評価された順方向リンク送信スロットであるか否かをチェックする。順方向リンク送信スロットがこれらの１つのインターバルの最後に入らないならば、アクセス端末は適切にデコードされた構成パケットを探す必要はなく、次のスロットを処理するように進行する。
【００４８】
アクセス端末がステップ306 で、完全な構成パケットを受信されたことを決定したならば、アクセス端末はその後、構成パケットが適切にデコードされたか否かをステップ308 でチェックする。構成パケットが適切にデコードされなかったならば、アクセス端末はステップ310 で、構成パケットを最後に適切にデコードしてからの時間の長さをチェックする。現在のタイムスロットと、構成パケットの最後の適切なデコードとの間の期間が管理時間以上であるならば、アクセス端末は無線ネットワーク接続の損失を宣言し、ステップ314 で解除を処理する。現在のタイムスロットと、構成パケットの最後の適切なデコードとの間の期間が管理時間よりも少ないならば、アクセス端末は次のスロットでの処理を継続する。
【００４９】
アクセス端末が、構成パケットがステップ308 で適切にデコードされたことを決定したならば、これはアクセス端末に割当てられたトラフィックチャンネルが割当てを解除されているか否かをステップ312 で決定するために構成パケットに含まれているトラフィックチャンネル割当情報を抽出して検査する。アクセス端末のトラフィックチャンネルの割当てが解除されているならば、アクセス端末はステップ314 で解除を処理する。アクセス端末が割当を解除されていない他のトラフィックチャンネルを依然として使用するならば、アクセス端末は新しく解除されたトラフィックチャンネルに対してのみ解除をステップ314 で随意選択的に処理し、残りのトラフィックチャンネルを使用し続ける。トラフィックチャンネルがアクセス端末に割当てられた状態のままであることを構成パケットが示すならば、アクセス端末は次のスロットでの処理を継続する。
【００５０】
図３Ｂは無線ネットワークにおける管理時間処理の例示的なフローチャートである。アクセス端末の解除処理をステップ350 で開始するとき、無線ネットワークはステップ352 で解除開始メッセージをアクセス端末へ送信する。ステップ354 で、無線ネットワークはアクセス端末から解除メッセージを受信しているか否かを評価する。無線ネットワークがアクセス端末から解除メッセージを受信するならば、現在ドロップされたアクセス端末に前に割当てられたトラフィックチャンネルリソース360 を直ちに再生する。
【００５１】
無線ネットワークがステップ354 で解除メッセージを受信しないならば、無線ネットワークはステップ356 で、無線ネットワークの基地局により送信された構成パケット中のトラフィックチャンネル割当情報を変化させる。トラフィックチャンネル割当情報は、トラフィックチャンネルが解除されようとしているアクセス端末に前に割当てられたトラフィックチャンネルが割当てを解除されていることを示すために更新される。
【００５２】
例示的な実施形態では、アクセス端末は解除を生じるデコードされた構成パケットに対する任意の肯定応答または応答を送信しない。アクセス端末は特定されたトラフィックチャンネルでの送信および受信を単に停止する。結果として、無線ネットワークはアクセス端末が構成パケットをデコードするときまたはデコードするか否かを知ることができない。したがって、無線ネットワークは管理期間を待機した後までそのアクセス端末に関連するトラフィックチャンネルリソースを再生しない。
【００５３】
ステップ356 で構成パケットで送信された情報を変更した後、基地局はステップ358 で管理時間中、変更された構成パケットを周期的に送信し続ける。管理時間の完了後、無線ネットワークはステップ360 で、現在解除されたアクセス端末に前に割当てられたトラフィックチャンネルリソースを再生する。トラフィックチャンネルリソースがステップ360 で再生された後、再生されたトラフィックチャンネルと、それらの関連するリソースはステップ362 で再度割当てられてもよい。
【００５４】
連続したステップとして示されているが、解除開始メッセージ352 の送信と、構成パケット356の変更とはどちらの順番に行われてもよく、またはほぼ同時に行われてもよい。変更された構成パケットと解除開始メッセージが同時に受信されたならば、アクセス端末は受信された構成パケットに反応する前に解除開始メッセージに応答して解除メッセージを送信する。
【００５５】
図４Ａ−４Ｃは送信パワーを管理するための例示的なプロセスのフローチャートである。接続が最初にアクセス端末と無線ネットワークとの間で設定されたとき、アクセス端末の送信機はオンに切換えられ、“オフ切換えタイマ”および“オン切換えタイマ”と呼ばれるアクセス端末中の２つのタイマは非付勢状態で開始する。ステップ402 での各新しいタイムスロットの処理中に、アクセス端末は（ステップ404 で）ＤＲＣ値を生成し、その送信機のオンまたはオンへの切換えを決定するためにそのＤＲＣ値を２つのタイマと共に使用する。
【００５６】
例示的な実施形態では、ステップ404 のＤＲＣ値の生成に続いて、アクセス端末110 の送信機がオンまたはオフに切換えられることを検査するステップ406 が続く。送信機がオンであるならば、プロセスは図４Ｂで示されているように進行し、ここではアクセス端末は送信機がオフに切換えられるべきか否かを決定する。送信機がオフであるならば、プロセスは図４Ｃで示されているように進行し、ここではアクセス端末は送信機がオンに切換えられるべきか否かを決定する。
【００５７】
図４Ｂでは、プロセスはステップ406 から、ステップ404 で生成されたＤＲＣ値の値の評価ステップ420 へ進行する。ステップ420 で、新しく生成されたＤＲＣ値がゼロレートよりも大きいならば、アクセス端末は（ステップ422 で）“オフ切換えタイマ”を停止させる。例示的な実施形態では、既に停止されているときオフ切換えタイマの停止はオフ切換えタイマの状態に変化を生じさせない。別の実施形態では、ステップ422 はオフ切換えタイマの状態をチェックし、前に付勢されているならば単に消勢する。ステップ422 の後、プロセスは次のタイムスロットの処理で継続する（図４Ａのステップ402 ）。
【００５８】
ステップ420 で、新しく生成されたＤＲＣ値がゼロレートのＤＲＣ値であったならば、アクセス端末はステップ424 でオフ切換えタイマの状態を評価する。オフ切換えタイマがアクチブであるがステップ424 で終了するならば、アクセス端末は（ステップ430 で）オフ切換えタイマを停止させ、送信機を停止させる（ステップ432 ）。ステップ424 でオフ切換えタイマがまだ終了していないならば、アクセス端末はステップ426 でオフ切換えタイマがすでに付勢されているか否かをチェックする。ステップ426 で、オフ切換えタイマがまだ付勢されていなければ、アクセス端末はステップ428 でオフ切換えタイマを付勢する。オフ切換えタイマのステップ424 における付勢には特定されたオフ切換え期間、例えば２４０ミリ秒または継続期間１．６７ミリ秒の１４４スロット後にタイマが完了するように設定することが含まれている。付勢されたオフ切換えタイマの終了はその送信機をオフに切換えるためのアクセス端末の信号として作用する。ステップ426 で、オフ切換えタイマが既に付勢されているならば、プロセスは次のタイムスロットの処理で継続する（図４Ａのステップ402 ）。
【００５９】
図４Ｃでは、プロセスはステップ406 から、ステップ404 で生成されたＤＲＣ値の値の評価ステップ442 へ進行する。ステップ442 で、新しく生成されたＤＲＣ値がゼロレートのＤＲＣ値であるならば、アクセス端末はステップ446 で“オン切換えタイマ”を停止させる。例示的な実施形態では、既に消勢されているときオフ切換えタイマの停止はオン切換えタイマの状態に変化を生じない。別の実施形態では、ステップ446 はオン切換えタイマの状態をチェックし、前に付勢されているならば単に消勢することを含んでいる。ステップ446 の後、プロセスは次のタイムスロットの処理で継続する（図４Ａのステップ402 ）。
【００６０】
ステップ442 で、新しく生成されたＤＲＣ値がゼロレートよりも大きかったならば、アクセス端末はステップ444 でオン換えタイマの状態を評価する。オン切換えタイマがアクチブであるがステップ444 において終了するならば、アクセス端末はステップ452 でオン切換えタイマを消勢し、ステップ454 でその送信機を再度オンに切換える。オン切換えタイマがステップ444 で終了しないならば、アクセス端末は（ステップ448 で）オン切換えタイマが既に付勢されているか否かをチェックする。ステップ448 でオン切換えタイマが付勢されていないならば、アクセス端末はステップ450 でオン切換えタイマを付勢する。オン切換えタイマを付勢するステップ450 は特定されたオン切換え期間後にタイマが終了するように設定することを含んでいる。例示的な実施形態では、オン切換え期間は約１３．３３ミリ秒または継続期間１．６７ミリ秒の８スロットである。別の実施形態では、オン切換え期間は約２６．６７ミリ秒または継続期間１．６７ミリ秒の１６スロットである。付勢されたオン切換えタイマの終了はその送信機をオンに切換えるためのアクセス端末に対する信号として作用する。ステップ448 で、オン切換えタイマが既に付勢されているならば、プロセスは次のタイムスロットの処理で継続する（図４Ａのステップ402 ）。
【００６１】
図５Ａは１実施形態にしたがって構成された例示的な高データレート基地局504 および基地局制御装置（ＢＳＣ）510 の基本的なサブシステムを示しているブロック図である。ＢＳＣ 510と基地局504 は図１の無線ネットワーク120 等の無線ネットワークのコンポーネントとして作用する。また、図１を参照すると、ＢＳＣ 510は１以上のパケットネットワークインターフェース524 によりパケットデータネットワーク124 および126 とインターフェースしている。１つの基地局504 だけが簡潔性のために示されているが、無線ネットワーク120 は多数の基地局504 と基地局制御装置510 を具備してもよい。ＢＳＣ 510はパケットネットワークインターフェース524 を経て各アクセス端末（図１から110 ）とパケットデータネットワーク126との間の通信を調整する。無線ネットワーク120 はまたセクタ素子514 と公共交換電話網すなわちＰＳＴＮ（図示せず）との間に配置されるインターワーキング機能すなわちＩＷＦ（図示せず）を含んでもよい。
【００６２】
ただ１つのセクタ素子514 が簡潔性のために示されているが、ＢＳＣ 510は多数のセクタ素子514 を含んでいる。各セクタ素子514 は１以上の基地局504 により１つのアクセス端末とＢＳＣ 510との間の通信を制御するように割当てられている。例示的な実施形態では、ＢＳＣ 510とアクセス端末との間の接続は単一のセクタ素子514 を通して伝送される多数のトラフィックチャンネルを具備してもよい。アクセス端末は最大１のトラフィックチャンネルを各サービス基地局504 から割当てられている。各サービス基地局504 により単一のアクセス端末から受信されるデータはアクセス端末に割当てられた単一のセクタ素子514 を通して伝送される。
【００６３】
パケットネットワークインターフェース524 は接続554 を介してパケットデータネットワーク126からデータを受信し、パケットデータの目的地アドレスを検査し、目的地アクセス端末に関連するセレクタ素子514 へデータを伝送する。接続が無線ネットワーク120 と目的地アクセス端末との間で設定されていないならば、呼制御プロセッサ516 はアクセス端末との接続をセットアップする。接続のセットアップにはアクセス端末のページングと、セレクタ素子514 と１以上のトラフィックチャンネルのアクセス端末への割当が含まれている。単一のアクセス端末への接続に割当てられた各トラフィックチャンネルは異なる基地局に属す。トラフィックチャンネルによりアクセス端末と通信する基地局504 はアクセス端末の“サービス基地局”と呼ばれる。アクセス端末接続に割当てられたセレクタ素子514 はパケットネットワークインターフェース524 から受信されたパケットデータを目的地アクセス端末のサービス基地局504 へ送信するために使用される。
【００６４】
例示的な実施形態では、各基地局504 はそれによりサービスされる全てのアクセス端末へ順方向リンク送信をスケジュールする基地局制御プロセッサ512 を含んでいる。基地局制御プロセッサ512 は順方向リンク送信が各順方向リンクタイムスロットへ導かれるアクセス端末を選択する。
【００６５】
例示的な実施形態では、各基地局504 はアクチブアクセス端末に関連する各トラフィックチャンネルの順方向リンクデータ待ち行列540 を維持する。アクセス端末に送信されるパケットデータは、基地局制御プロセッサ512 が順方向リンクタイムスロットの目的地アクセス端末としてアクセス端末を選択するまで、アクセス端末の関連される順方向リンクデータ待ち行列中に記憶される。
【００６６】
例示的な実施形態では、基地局504 は多数のチャンネルエレメント542 を含んでおり、ここでは１つのチャンネルエレメント542 は各トラフィックチャンネルに割当てられている。一度基地局制御プロセッサ512 が順方向リンクタイムスロットに対して目的地アクセス端末を選択すると、データは対応するチャンネルエレメント542 を経て順方向リンクデータ待ち行列540 から、無線周波数（ＲＦ）装置544 へ送られ、その後アンテナ546 へ送られる。データはその後、順方向リンク550 を経てアクセス端末へ伝送される。
【００６７】
例示的な実施形態において、基地局制御プロセッサ512 はまた各順方向リンクタイムスロットに対する送信レートを特定する。逆方向リンク552 は各アクセス端末110 からアンテナ546 に受信されたＤＲＣ情報のような逆方向リンク信号を伝送する。その後、逆方向リンク信号はＲＦ装置544 中で下方変換され、利得制御され、チャンネルエレメント542 中で復調され、デコードされる。
【００６８】
例示的な実施形態では、基地局制御プロセッサ512 は各アクチブアクセス端末から受信されたＤＲＣ情報を監視し、順方向リンク550 での送信をスケジュールするためにＤＲＣ情報を各順方向リンクデータ待ち行列540 中のデータ量と共に使用する。例示的な実施形態では、基地局制御プロセッサ512 は順方向リンク550 によって周期的に送信される構成パケットを生成する。構成パケットは各基地局のトラフィックチャンネルがアクチブアクセス端末に割当てられるか否かを示すトラフィックチャンネル割当情報を含んでいる。呼制御プロセッサ516 はアクチブアクセス端末110 に割当てられたトラフィックチャンネルを解除するように基地局制御プロセッサ512 に命令する。呼制御プロセッサ516 は解除開始メッセージを発生し、１以上の基地局を通って解除されようとしているアクセス端末へメッセージを送信する。解除されようとしているアクセス端末へ割当てられたセレクタエレメント514 が解除メッセージを受信しないならば、呼制御プロセッサ516 は対応するトラフィックチャンネルの割当て解除を示すために送信されたその後の構成パケットの内容を更新するように基地局制御プロセッサ512 に命令する。呼制御プロセッサ516 はしたがって、解除されようとしているアクセス端末をサービスする１または全ての基地局でトラフィックチャンネルの割当て解除を特定することができる。
【００６９】
呼制御プロセッサ516 と基地局制御プロセッサ512 はマイクロプロセッサ、フィールドプログラム可能なゲートアレイ（ＦＰＧＡ）、プログラム可能な論理装置（ＰＬＤ）、デジタル信号プロセッサ（ＤＳＰ）、特定用途集積回路（ＡＳＩＣ）または必要な振幅と位相の制御信号を発生し調節できるその他の装置を使用して構成される。例示的な実施形態では、ＢＳＣ 510と基地局504 との間の通信は迂回中継接続により伝送される。迂回中継接続を流れる情報は呼制御プロセッサ516 と基地局制御プロセッサ512 との間の通信を含んでいる。ＢＳＣ 510と基地局504 との間の迂回中継接続は、地下ケーブルまたはマイクロ波Ｔ１またはＴ３或いはＯＣ３等の光ファイバのような適切な接続装置を使用して行われる。
【００７０】
例示的な実施形態では、解除アクセス端末から逆方向リンク552 で受信された解除メッセージはデコードされ、基地局制御プロセッサ512 へ送られ、基地局制御プロセッサ512 は呼制御プロセッサ516 と共にセレクタエレメント514 等のトラフィックチャンネルリソースの再生および再割当を調節する。別の実施形態では、解除メッセージは基地局制御プロセッサ512 によりデコードされないで、セレクタエレメント514 を経て呼制御プロセッサ516 へ伝送される。別の実施形態では、ＢＳＣ 510と基地局504 は一体化され、呼制御プロセッサ516 および基地局制御プロセッサ512 は単一のプロセッサまたは同一セットの共有されたプロセッサにより実行される。
【００７１】
例示的な実施形態では、データは最小サイズ１０２４ビットを有する“データパケット”において順方向リンク550 で送信される。データパケットの内容は固定した継続期間、例えば１．６６７ミリ秒を有する１以上のタイムスロットによって送信される。
【００７２】
例示的な実施形態では、チャンネルエレメント542 はパケットに対する巡回冗長検査（ＣＲＣ）を生成し、その後、エンコードされたパケットを形成するために順方向エラー補正（ＦＥＣ）を使用してデータパケットとそのＣＲＣをコード化する。ＦＥＣコードはターボコード化、畳み込みコード化、ブロックコード化、またはソフト決定コード化を含むその他の形態のコード化を含んでいる任意の幾つかの順方向エラー補正技術を使用してもよい。チャンネルエレメント542 はその後、エンコードされたパケット内の符号をインターリーブ（または再度順序付け）する。チャンネルエレメント542 はブロックインターリーブおよびビット反転インターリーブのような任意の複数のインターリーブ技術を使用してもよい。インターリーブされたパケットは符号をウォルシュコードでカバーし、短いＰＮＩおよびＰＮＱコードを使用してＰＮ拡散することを含んでいるコード分割多元アクセス（ＣＤＭＡ）技術を使用してエンコードされる。別の実施形態は複素数ＰＮ拡散を使用する。拡散データは信号を直角位相変調し、濾波し、増幅するＲＦ装置544 へ与えられる。順方向リンク信号はその後、順方向リンク550 でアンテナ546 を経て無線で送信される。
【００７３】
図５Ｂは例示的な高データレートアクセス端末110 のブロック図である。アクセス端末110 はＤＲＣ情報のような情報と逆方向リンクパケットデータを無線通信チャンネル112 の逆方向リンク552 により無線ネットワーク120 へ送信する。アクセス端末110 は無線通信チャンネル112 の順方向リンク550 により順方向リンクデータおよび構成パケットのようなデータを無線ネットワーク120 から受信する。
【００７４】
例示的な実施形態では、順方向リンク信号はアンテナ560 により受信され、フロントエンド562 内の受信機に伝送される。受信機は信号を濾波し、増幅し、直角位相復調し、量子化する。デジタル化された信号は復調器（ＤＥＭＯＤ）564 へ与えられ、ここでＰＮＩおよびＰＮＱコードでデスプレッドされ、ウォルシュカバーでデカバーされる。復調されたデータは基地局504 で行われる送信信号処理機能の逆を行うデコーダ566 へ与えられる。特に、デコーダ566 はデインターリーブ、デコード、ＣＲＣ検査機能を実行する。デコードされたパケットデータはパケットデータインターフェース568 へ与えられ、これはその後、データを接続570 を経て、外部装置（図示せず）へ送信し、この外部装置はユーザインターフェースを有し、ウェブブラウザのようなユーザアプリケーションを動作させる。デコーダ566 は構成パケットおよび解除開始メッセージのようなデコードされた呼制御情報を制御装置576 へ与える。
【００７５】
データは接続570 とパケットデータインターフェース568 を経て外部装置（図示せず）から受信される。データは制御装置576 を通って伝送されてもよく、またはパケットデータは直接エンコーダ572 へ与えられてもよい。
【００７６】
制御装置576 はサービス基地局504 から受信された信号の特性を監視し、ＤＲＣ情報を生成する。制御装置576 はその後逆方向リンク552 で続いて送信するために結果的なＤＲＣ情報をエンコーダ572 へ与える。制御装置576 はまた受信された解除開始メッセージを処理し、送信されるものに対応する解除メッセージを生成する。制御装置576 は任意のアクセス端末のトラフィックチャンネルが割当てを解除されているか否かを決定するために各デコードされた構成パケットの内容を評価する。
【００７７】
前述したように、制御装置576 は発生されたＤＲＣのレベルを監視し、それによってアクセス端末110 は無線ネットワークの帯域内ジャマーになることを回避できる。例示的な実施形態では、ＤＲＣレベルが特定の期間、例えば２４０ミリ秒または１４４タイムスロットでゼロレートに低下するならば、制御装置576 はフロントエンド562 の送信機をオフに切換える。制御装置576 はＤＲＣレートが特定の期間、例えば８の連続的なタイムスロットでゼロを超えた状態に保持された後に再度フロントエンド562 の送信機をオンに切換える。
【００７８】
例示的な実施形態では、パケットデータインターフェース568 は順方向リンクおよび逆方向リンクデータの一時的な記憶用のデータバッファを含んでいる。フロントエンド562 の送信機がオフに切換えられ、逆方向リンクデータは送信機が再度オンに切換えられるまでバッファに保存されている。別の実施形態では、データは送信機がオフであるときでも送信機へ送信され、その結果、損失を招く。別の実施形態では、逆方向リンクデータのバッファのオーバーフローの可能性を防止する。
【００７９】
制御装置576 が解除開始メッセージを受信するならば、制御装置576 はエンコーダ572 、変調器574 、フロントエンド562 、アンテナ560 を経て送信される解除メッセージを発生する。解除メッセージの送信後、制御装置576 は無線ネットワークと全ての関連するトラフィックチャンネルとの接続を解除する。
【００８０】
制御装置576 が、アクセス端末のトラフィックチャンネルの１つが割当てを解除されていることを示す構成パケットを受信するならば、制御装置576 は直ちにそのトラフィックチャンネルを解除する。例示的な実施形態では、アクセス端末に割当てられた多数のトラフィックチャンネルのうちの１つのみが割り当てを解除されるならば、アクセス端末はその接続の残りのトラフィックチャンネルを随意選択的に使用し続ける。別の形態では、任意のアクセス端末のトラフィックチャンネルの割当て解除はアクセス端末にＢＳＣおよび全ての基地局との接続全体を解除させる。
【００８１】
さらに、制御装置576 は適切にデコードされた構成パケットの受信間のインターバルを監視する。制御装置576 が、管理時間以上の期間において適切にデコードされた構成パケットが存在しないことを決定した場合には、制御装置576 はＢＳＣおよび全ての基地局との接続を解除する。例示的な実施形態では、制御装置576 はマイクロプロセッサ、フィールドプログラム可能なゲートアレイ（ＦＰＧＡ）、プログラム可能な論理装置（ＰＬＤ）、デジタル信号プロセッサ（ＤＳＰ）、特定用途向け集積回路（ＡＳＩＣ）、またはここで説明した制御装置の機能を実行できるその他の装置を使用して構成される。
【００８２】
例示的な実施形態では、パケットデータインターフェース568 と制御装置576 からの逆方向リンクデータはエンコーダ572 でコード化される。エンコーダ572 は各パケットで巡回冗長検査（ＣＲＣ）を生成し、その後、エンコードされたパケットを形成するために順方向エラー補正（ＦＥＣ）を使用してデータパケットとそのＣＲＣをコード化する。ＦＥＣコードはターボコード化、畳み込みコード化、ブロックコード化、またはソフト決定コード化を含むその他の形態のコード化を含んでいる任意の幾つかの順方向エラー補正技術を使用してもよい。変調器（ＭＯＤ）574 はその後、ブロックインターリーブおよびビット反転インターリーブのような任意の多くのインターリーブ技術を使用して、エンコードされたパケット内の符号をインターリーブ（または再度順序付け）する。インターリーブされたパケットは、符号をウォルシュコードでカバーし、短いＰＮＩおよびＰＮＱコードを使用してＰＮ拡散することを含んでいるコード分割多元アクセス（ＣＤＭＡ）技術を使用してエンコードされる。別の実施形態では、複素数ＰＮ拡散が使用される。拡散データは信号を直角位相変調し、濾波し、増幅するフロントエンド562 内の送信機へ与えられる。逆方向リンク信号はその後、逆方向リンク552 でアンテナ560 から無線で送信される。
【００８３】
別の実施形態は可変レートの送信をサポートできる他のハードウェアアーキテクチャに応用可能である。例えば、別の実施形態は光ファイバチャンネルを使用するシステムに適用され、ここでは図１の無線通信チャンネル112 は光ファイバ内に存在する図５Ａ−５Ｂの光ファイバ通信チャンネルと順方向リンク550と逆方向リンク552に置換される。図５Ａ−５Ｂのアンテナ560 と546 は光ファイバインターフェースで置換される。
【００８４】
以上、順方向リンクの接続管理に関して説明したが、例示的な実施形態は逆方向リンクの接続管理をカバーするように容易に拡張されることができる。また例示的な実施形態はコード分割多元アクセス（ＣＤＭＡ）技術を使用するが、時分割多重アクセス（ＴＤＭＡ）のような異なる多元アクセス技術を使用するように容易に拡張されてもよい。
【００８５】
好ましい実施形態の先の説明は当業者が本発明を実行または使用することを可能にするために行われた。これらの実施形態に対する種々の変形は当業者に容易に明白であり、ここで規定されている一般原理は発明力を使用せずに他の実施形態に適用されることができる。したがって、本発明はここで示されている実施形態に限定されるものではなく、ここで開示された原理および優れた特徴と一貫した最も広い技術的範囲に従うことを意図している。
以下に本件出願当初の特許請求の範囲に記載された発明を付記する。
［１］無線通信システムにおける送信パワーの制御方法において、
受信された信号の特徴のセットを測定し、
特徴のセットに基づいて１以上のデータレート制御（ＤＲＣ）値を生成し、
この１以上のＤＲＣ値に基づいて送信機をオフに切換えるステップを含んでいる送信パワーの制御方法。
［２］特徴のセットを測定する前記ステップは、
受信された信号の搬送波対干渉比を測定するサブステップをさらに含んでいる［１］の方法。
［３］送信機をオフに切換える前記ステップは、
生成されたＤＲＣ値がゼロのレートを超えるものがない期間の時間の長さを決定し、
その時間の長さが予め定められた期間以上であるとき送信機をオフに切換えるサブステップをさらに含んでいる［１］の方法。
［４］前記予め定められた期間は約２４０ミリ秒である［３］の方法。
［５］生成されたＤＲＣ値にゼロのレートを示すものがない期間の時間の長さを決定し、
その時間の長さが予め定められた期間以上であるとき送信機をオンに切換えるステップをさらに含んでいる［１］の方法。
［６］前記予め定められた期間は約１３と３分の１ミリ秒である［５］の方法。
［７］前記予め定められた期間は約２６と３分の２ミリ秒である［５］の方法。
［８］送信パワーレベルで送信信号を増幅し送信する送信機と、
下方変換された信号を復調し、下方変換された信号に基づいて信号特性の測定のセットを生成する復調器と、
測定を評価し、特徴のセットに基づいて１以上のデータレート制御（ＤＲＣ）値を生成し、この１以上のＤＲＣ値に基づいて送信パワーレベルをほぼゼロに設定する制御プロセッサとを具備している無線アクセス端末装置。
［９］前記制御プロセッサは測定のセットからの搬送波対干渉比を評価して、搬送波対干渉比に基づいてＤＲＣ値を生成するようにさらに構成されている［８］の装置。
［１０］前記制御プロセッサは、さらに生成されたＤＲＣ値がゼロのレートを超えない期間の時間の長さを決定し、その時間の長さが予め定められた送信機のオフ期間以上であるときそれに基づいて送信パワーレベルをほぼゼロに設定するように構成されている［８］の装置。
［１１］前記制御プロセッサは約２４０ミリ秒の送信機オフ期間を使用するように構成されている［１０］の装置。
［１２］前記制御プロセッサはさらに、生成されたＤＲＣ値がゼロのレートを示さない期間の時間の長さを決定し、その時間の長さが予め定められた送信機のオン期間以上であるとき送信パワーレベルをほぼゼロ以外の値に設定するように構成されている［８］の装置。
［１３］前記制御プロセッサはさらに、約１３と３分の１ミリ秒の送信機オン期間を使用するように構成されている［１２］の装置。
［１４］前記制御プロセッサはさらに、約２６と３分の２ミリ秒の送信機オン期間を使用するように構成されている［１２］の装置。
［１５］受信された信号の特徴のセットを測定する手段と、
この特徴のセットに基づいて１以上のデータレート制御（ＤＲＣ）値を生成し、この１以上のＤＲＣ値に基づいて送信機をオフに切換える手段とを具備している無線アクセス端末装置。
［１６］受信された信号の搬送波対干渉比を測定する手段をさらに具備している［１５］の装置。
［１７］生成されたＤＲＣ値がゼロのレートを超えない期間の時間の長さを決定する手段と、
時間の長さが予め定められた期間以上であるときに送信機をオフに切換える手段とをさらに具備している［１６］の装置。
【図面の簡単な説明】
【図１】  例示的な高データレート無線システムの概略図。
【図２】  アクセス端末の管理時間を処理するための例示的な状態図と、アクセス端末のジャマー防止処理手順の例示的な状態図。
【図３Ａ】  アクセス端末での管理時間処理の例示的なフローチャート。
【図３Ｂ】  無線ネットワークでの管理時間処理の例示的なフローチャート。
【図４Ａ】  送信パワーを管理するための例示的なプロセスのフローチャート。
【図４Ｂ】  送信パワーを管理するための例示的なプロセスのフローチャート。
【図４Ｃ】  送信パワーを管理するための例示的なプロセスのフローチャート。
【図５Ａ】  基地局および基地局制御装置を含んでいる例示的な高データレートの無線ネットワークのブロック図。
【図５Ｂ】  例示的な高データレートアクセス端末のブロック図。
【図１】
0004750336.tif 000002
【図２】
0004750336.tif 000003
【図３Ａ】
0004750336.tif 000004
【図３Ｂ】
0004750336.tif 000005
【図４Ａ】
0004750336.tif 000006
【図４Ｂ】
0004750336.tif 000007
【図４Ｃ】
0004750336.tif 000008
【図５Ａ】
0004750336.tif 000009
【図５Ｂ】
0004750336.tif 000010